(57)【要約】【課題】測色チャートで指定される全ての色情報のセットを測定し終える(全ての色情報に基づく測定処理が終わる)までの総測定時間を精度良く予測すること。【解決手段】パーソナルコンピュータ１０１のＣＰＵが、測定処理の前に、予備測定用測色チャートに従って予備測定処理を実行し、該予備測定結果に従って、測色チャートにて指定される色情報毎にモニタ１０２にて出力される予想輝度値を算出し、該各予想輝度値に対応する露光時間を輝度レンジ-露光時間テーブルからそれぞれ取得し、該取得した各露光時間に従って、測色チャートで指定される色情報毎の予想測定時間を算出し、該算出された前記各予想測定時間に従って、前記測定処理における総予想測定時間を算出する構成を特徴とする。【選択図】図１
2008216203.tif 000002
【特許請求の範囲】
【請求項１】
指定される色情報に従って光を出力する出力機器と、前記出力機器から出力される光を測定手段に露光して測定し該測定結果に従って測定値を算出する処理を行う測色機とが接続され、前記測色機に測定させる色情報の組み合わせを指定した測色チャートにて指定される１つの色情報を前記出力機器に出力させ、該出力を前記測色機で測定させて該測定値を得る処理を、前記測色チャートにて指定される全ての色情報に対して行う測定処理を実行するように制御する情報処理装置であって、
前記測定処理の前に、前記測色チャートに従って総測定時間を予想するために前記測色機に測定させる色情報の組み合わせを指定した予備測定用測色チャートにて指定される１つの色情報を前記出力機器に出力させ、該出力を前記測色機で測定させて該測定値を得る処理を、前記予備測定用測色チャートにて指定される全ての色情報に対して行う予備測定処理を実行するように制御する予備測定制御手段と、
前記予備測定制御手段による予備測定結果に従って、前記測色チャートにて指定される色情報毎に前記出力装置にて出力される予想輝度値を算出する第１の算出手段と、
前記測色機が測定する輝度レンジに応じた露光時間を定義した露光時間定義情報から前記各予想輝度値に対応する露光時間をそれぞれ取得し、該取得した各露光時間に従って、前記測色チャートで指定される色情報毎の予想測定時間を算出する第２の算出手段と、
前記第２の算出手段により算出された前記各予想測定時間に従って、前記測定処理における総予想測定時間を算出する第３の算出手段と、
を備えることを特徴とする情報処理装置。
【請求項２】
前記予備測定処理時に、前記予備測定用測色チャートにて指定された色情報毎に、前記測色機が測定を開始してから測定値を得るまでの時間を測定時間として算出する第４の算出手段と、
前記予備測定制御手段による予備測定結果としての輝度値に応じた露光時間を、前記予備測定用測色チャートにて指定される色情報毎にそれぞれ前記露光時間定義情報から取得し、該取得した各露光時間と前記第４の算出手段により算出された各測定時間とに従って前記測色機の演算時間を算出する第５の算出手段と、を設け、
前記第２の算出手段は、前記露光時間定義情報から前記各予想輝度値に対応する露光時間をそれぞれ取得し、該取得した各露光時間と、前記第５の算出手段により算出された前記測色機の演算時間とに従って、前記測色チャートで指定される色情報毎の予想測定時間を算出する、ことを特徴とする請求項１に記載の情報処理装置。
【請求項３】
前記第４の算出手段は、前記予備測定処理時に、前記予備測定用測色チャートにて指定された色情報毎の測定時間を、前記測色機に測定を指示して該指示に基づく測定値が得られるまでの時間をカウントする、ことを特徴とする請求項２に記載の情報処理装置。
【請求項４】
前記第５の算出手段は、前記予備測定制御手段による予備測定結果に応じた露光時間を前記露光時間定義情報からそれぞれ取得し、該取得した各露光時間を前記第４の算出手段により算出された前記各測定時間からそれぞれ減算し、前記各減算結果に従って前記測色機による演算時間を算出する、ことを特徴とする請求項２又は３に記載の情報処理装置。
【請求項５】
前記第１の算出手段は、前記予備測定結果に従って補完計算することにより、前記測色チャートにて指定される色情報毎に前記出力装置にて出力される予想輝度値を算出する、ことを特徴とする請求項１乃至４のいずれかに記載の情報処理装置。
【請求項６】
前記第２の算出手段は、前記露光時間定義情報から前記各予想輝度値に対応する露光時間をそれぞれ取得し、該取得した各露光時間と、前記第５の算出手段により算出された前記測色機の演算時間とを加算して、前記測色チャートで指定される色情報毎の予想測定時間を算出する、ことを特徴とする請求項２乃至５のいずれかに記載の情報処理装置。
【請求項７】
前記第３の算出手段により算出される総予想測定時間を表示させる表示制御手段を、備えたことを特徴とする請求項１乃至６のいずれかに記載の情報処理装置。
【請求項８】
前記予備測定制御手段により実行される前記測定処理時に、逐次測定される測定結果に基づいて、前記測色チャートにて指定される色情報毎に前記出力装置にて出力される光の予想輝度値を変更し、該変更された前記各予想輝度値に基づいて、前記第２の算出手段，前記第３の算出手段による算出処理を実行させて、前記測定処理における総予想測定時間を再算出させる変更手段を、
設けたことを特徴とする請求項１乃至７のいずれかに記載の情報処理装置。
【請求項９】
前記変更手段は、前記逐次測定される測定結果と、前記第１の算出手段で算出された予想輝度値との比に応じて、前記予想輝度値を変更する、ことを特徴とする請求項８に記載の情報処理装置。
【請求項１０】
指定される色情報に従って光を出力する出力機器と、前記出力機器から出力される光を測定手段に露光して測定し該測定結果に従って測定値を算出する処理を行う測色機とが接続され、前記測色機に測定させる色情報の組み合わせを指定した測色チャートにて指定される１つの色情報を前記出力機器に出力させ、該出力を前記測色機で測定させて該測定値を得る処理を、前記測色チャートにて指定される全ての色情報に対して行う測定処理を実行するように制御する情報処理装置における測定時間予測方法であって、
前記測定処理の前に、前記測色チャートに従って総測定時間を予想するために前記測色機に測定させる色情報の組み合わせを指定した予備測定用測色チャートにて指定される１つの色情報を前記出力機器に出力させ、該出力を前記測色機で測定させて該測定値を得る処理を、前記予備測定用測色チャートにて指定される全ての色情報に対して行う予備測定処理を実行するように制御する予備測定制御ステップと、
前記予備測定制御ステップでの予備測定結果に従って、前記測色チャートにて指定される色情報毎に前記出力装置にて出力される予想輝度値を算出する第１の算出ステップと、
前記測色機が測定する輝度レンジに応じた露光時間を定義した露光時間定義情報から前記各予想輝度値に対応する露光時間をそれぞれ取得し、該取得した各露光時間に従って、前記測色チャートで指定される色情報毎の予想測定時間を算出する第２の算出ステップと、
前記第２の算出ステップにより算出された前記各予想測定時間に従って、前記測定処理における総予想測定時間を算出する第３の算出ステップと、
を備えることを特徴とする測定時間予測方法。
【請求項１１】
請求項１０に記載された測定時間予測方法をコンピュータに実行させるためのプログラム。
【請求項１２】
請求項１０に記載された測定時間予測方法をコンピュータに実行させるためのプログラムを記録したコンピュータ読み取り可能な記録媒体。
【発明の詳細な説明】
【技術分野】
【０００１】
本発明は、出力機器から出力される光を測色機で測定する際に測定時間を予測する制御に関する。
【背景技術】
【０００２】
近年、パーソナルコンピュータの普及に加え、画像表示デバイスを代表とする画像デジタル機器の開発も著しい。これらの動きに伴い、画像表示デバイスで表示する画像のカラーマッチング技術が求められている。
【０００３】
高精度なカラーマッチングの実現にはデバイスの安定性が必要不可欠であり、時間の経過、また周囲の環境によって変化するデバイスの特性を考慮しなければならない。そのために、画像表示デバイスの現在の状態を知るために、分光放射輝度計による測定が行われている。
【０００４】
このような測定においては、モニタのような画像表示デバイスからデバイスの状態を知るために重要と思われる色の組み合わせを、RGB値のテーブル(一般的に測色チャートと呼ぶ)に記憶しておき、この測色チャートに記憶されているRGB値で順番にモニタに表示させて、上述の測定が行われる。
【０００５】
このように、画像表示デバイスの現在の状態を知るための測定システムにおいては、分光放射輝度計のような測色機で色を測るのが一般的である。
【０００６】
分光放射輝度計は、測定する光源の明るさによって測定時間が変わる。例えば、輝度が低い色を測定する場合は、露光時間を長くして精度の高い測定結果を得ようとするのが一般的である。この一回の測定時間は測定する光源の明るさによって、約１秒〜３０秒程度の差がある。そのため、測色チャートに記録される全ての色を測定し終えるまでの総測定時間は、測色チャートに記憶される色の組み合わせに依存したものになる。
【０００７】
ここでいう測定時間とは、測色機が測定を開始してから、測定値を得るまでの時間である。分光放射輝度計においては、測定開始から露光時間を経て、測色機が測定値を算出するための演算処理を行い結果がでるまでの時間と考える。
【０００８】
特許文献１によれば、測色機が予備測定を行い、その結果に基づいて、本測定を行う際の測光手段のゲインおよび、積分時間を算出することが開示されている。
【０００９】
この方法により、一回の測定における積分時間を得ることができるので、一回の測定時間を予測することは可能となる。尚、ここで言う、積分時間は上述の露光時間を示す。
【特許文献１】特開２００５−２２１６５１号公報
【発明の開示】
【発明が解決しようとする課題】
【００１０】
しかしながら、特許文献１の積分時間は、一回の測定時間を予測するためには有効だが、測色チャートのように複数の色のセットを全て測定する(全ての色の測定が終わる)までの総測定時間を知ることは困難であった。
【００１１】
本発明は、上記の問題点を解決するためになされたもので、本発明の目的は、測色チャートで指定される全ての色情報のセットを測定し終える(全ての色情報に基づく測定処理が終わる)までの総測定時間を精度良く予測することができる仕組みを提供することである。
【課題を解決するための手段】
【００１２】
本発明は、指定される色情報に従って光を出力する出力機器と、前記出力機器から出力される光を測定手段に露光して測定し該測定結果に従って測定値を算出する処理を行う測色機とが接続され、前記測色機に測定させる色情報の組み合わせを指定した測色チャートにて指定される１つの色情報を前記出力機器に出力させ、該出力を前記測色機で測定させて該測定値を得る処理を、前記測色チャートにて指定される全ての色情報に対して行う測定処理を実行するように制御する情報処理装置であって、前記測定処理の前に、前記測色チャートに従って総測定時間を予想するために前記測色機に測定させる色情報の組み合わせを指定した予備測定用測色チャートにて指定される１つの色情報を前記出力機器に出力させ、該出力を前記測色機で測定させて該測定値を得る処理を、前記予備測定用測色チャートにて指定される全ての色情報に対して行う予備測定処理を実行するように制御する予備測定制御手段と、前記予備測定制御手段による予備測定結果に従って、前記測色チャートにて指定される色情報毎に前記出力装置にて出力される予想輝度値を算出する第１の算出手段と、前記測色機が測定する輝度レンジに応じた露光時間を定義した露光時間定義情報から前記各予想輝度値に対応する露光時間をそれぞれ取得し、該取得した各露光時間に従って、前記測色チャートで指定される色情報毎の予想測定時間を算出する第２の算出手段と、前記第２の算出手段により算出された前記各予想測定時間に従って、前記測定処理における総予想測定時間を算出する第３の算出手段と、を備えることを特徴とする。
【発明の効果】
【００１３】
本発明によれば、測色チャートで指定される全ての色情報のセットを測定し終える(全ての色情報に基づく測定処理が終わる)までの総測定時間を精度良く予測することができる等の効果を奏する。
【発明を実施するための最良の形態】
【００１４】
〔第１実施形態〕
以下、本発明の実施形態の詳細について図面を参照して説明する。
【００１５】
図１は、本発明の一実施形態を適用可能な測定システムの構成の一例を示すシステム構成図である。
【００１６】
図１において、１００は、本発明を適用可能な測定システムである。この測定システム１００は、図１に示すように、パーソナルコンピュータ１０１に出力機器としてのモニタ１０２と、測色機１０３が接続される構成となっている。
【００１７】
なお、モニタ１０２は、パーソナルコンピュータ１０１から指定される色情報に従って光を出力するものである。また、測色機１０３は、パーソナルコンピュータ１０１からの指示により、モニタ１０２から出力される光を不図示の測定部に露光して測定し該測定結果に従って測定値を算出し、該算出した測定値をパーソナルコンピュータ１０１に出力する処理を実行するものである。
【００１８】
図２は、図１に示した測定システム１００の構成の詳細を示すブロック図である。
【００１９】
図２に示すように、パーソナルコンピュータ１０１は、ＣＰＵ２０１と、ＲＯＭ２０２と、ＲＡＭ２０３と、周辺機器インターフェース２０５と、メモリコントローラ２０７と、通信Ｉ／Ｆコントローラ２０８がシステムバス２０４で接続されている。
【００２０】
キーボード(ＫＢ)２０９と、表示デバイスであるモニタ（例えばＣＲＴ，ＬＣＤ）１０２は、周辺機器インターフェース２０５に接続されている。外部メモリ２１１は、メモリコントローラ２０７に接続されている。そして、パーソナルコンピュータ１０１の周辺機器インターフェース２０５には、測色機１０３が接続されている。
【００２１】
システムバス２０４は、例えばＰＣＩバス、ＡＧＰバス、メモリバス等を意味する。ＣＰＵ２０１は、オペレーションシステムのプログラムやアプリケーションプログラムに基づいて四則演算や比較演算等の各種演算や、ハードウェアの制御を行う。
【００２２】
ＲＡＭ２０３には、外部メモリ２１１であるＨＤやＦＤのような記憶媒体から読み出されたオペレーションシステムのプログラムやアプリケーションプログラム等が一時的に記憶され、これらはＣＰＵ２０１の制御の元に実行される。
【００２３】
ＲＯＭ２０２には、オペレーションシステムと協働してハードディスク等への入出力をつかさどるいわゆるＢＩＯＳ等が記憶される。
【００２４】
通信Ｉ／Ｆコントローラ２０８は、ＣＰＵ２０１によって制御されるオペレーションシステムの通信プログラムと協働してネットワークを介した外部との通信を行う。
【００２５】
ＫＢ２０９は、情報処理装置への指示を入力するために用いられる。
【００２６】
測色機１０３は、周辺機器インターフェース２０５と接続されており、モニタであるモニタ１０２に表示された色を測定するために用いられる。また、測色機１０３としては、分光放射輝度計等が考えられる。
【００２７】
本発明は、後述する図３に示す測色チャートにて指定される色を表示したモニタ１０２を、測色機１０３で測定し、値を得る処理を測定点数分（測色チャートにて指定される全ての色情報分）繰り返すとともに、測定を行う前に、システムを使用するユーザに、測定終了までの予想時間を通知することを特徴とする。
【００２８】
上記測定に使用する測定チャート(図３)に対応するデータ、後述する輝度レンジ-露光時間テーブル(図４)（露光時間定義情報ともいう）に対応するデータ、フローチャート(図５)に対応するプログラム、及び、予備測定用測色チャート(図６)に対応するデータは、外部メモリ２１１に記憶されており、これらに基づいてＣＰＵ２０１は、測色機１０３やモニタ１０２の制御も行う。
【００２９】
図３は、本実施形態における測色チャートの一例を示す図である。
【００３０】
図３に示すように、本実施形態で用いる測色チャートは、測色機１０３に測定させる色情報の組み合わせ（測定点）を指定したものであり、色成分、本実施形態ではRGB値（R値,G値,B値）で表現されている。また、RGB値は、「0」〜「255」の「256」段階の数値で表現されている。
【００３１】
また、本発明では、測色機固有の情報として、ある輝度レンジの値を持つ色を測る際に割り当てる、露光時間を定義したテーブル(図４)が、事前に外部メモリ２１１に保存されているものとする。
【００３２】
図４は、本実施形態における輝度レンジ-露光時間テーブルの一例を示す図である。
【００３３】
後述する図５に示すフローチャートに基づくプログラムは、この輝度レンジ-露光時間テーブルを参照することが可能になっている。
【００３４】
本テーブルは、測色機が測定する輝度のレンジに対して、測色機がどれだけ露光時間をかけるかを定義した露光時間定義情報を示した表である。これは、測色機がある一定の精度を持って測定が行われるように調整されたテーブルであり、予め測色機に対して定義されたものである。測色機が、本テーブルを参照して行う測定方法については、特開２００５−２２１６５１号公報によって公知なものなので説明を省略する。本測定システムでは、このテーブルに定義された時間を利用して総予想測定時間を算出していく。
【００３５】
以下、図５のフローチャートを参照して、本発明の第１実施形態におけるパーソナルコンピュータ１０１の処理を説明する。
【００３６】
図５は、本発明の第１実施形態におけるパーソナルコンピュータ１０１の処理を説明するフローチャートである。なお、このフローチャートの処理は、図２に示したパーソナルコンピュータ１０１のＣＰＵ２０１が、外部メモリ２１１に格納されるプログラムをＲＡＭ２０３上にロードして実行することにより実現される。また、図中、Ｓ５００〜Ｓ５０７は各ステップを示す。
【００３７】
まず、ステップＳ５００において、ＣＰＵ２０１は、予備測定を行う。ここで予備測定とは、測色チャートによる測定の前に行うものであり、総予想測定時間を算出するために必要な処理である。この予備測定では、予備測定用に用意された予備測定用測色チャート(図６)を使用する。なお、この予備測定用測色チャートは、予め外部メモリ２１１に記憶されている。
【００３８】
図６は、本実施形態で用いる予備測定用測色チャートの一例を示す図である。
【００３９】
図６に示すように、本実施形態の予備測定用測色チャートは、RGB値（R値,G値,B値）で表現されたものである。また、RGB値は「0」〜「255」の「256」段階の数値で表現されている。
【００４０】
また、予備測定用測色チャートの各測定点(Black，Gray，Red，Green，Blue)を次のように定義する。
【００４１】
Black(0,0,0)、Gray(128,128,128)、Red(255,0,0)、Green(0,255,0)、Blue(0,0,255)
ＣＰＵ２０１は、予備測定の際、予備測定用測色チャートに表されるRGB値を１点ずつ参照してモニタ１０２に表示させる（例えば、上から順に参照してモニタ１０２に表示させる）。当該１点の色をモニタ１０２に表示させた後、ＣＰＵ２０１は、測色機１０３を制御して測定を行う。測定の際には、ＣＰＵ２０１は、各点の測定値と、測定時間(露光時間と測色機１０３の演算時間を含む)をＲＡＭ２０３に記憶する。
【００４２】
つまり、ＣＰＵ２０１は、Black、Gray、Red、Green、Blueの５点分（予備測定用測色チャートにて指定される全ての色情報分）の測定を行い、測定値(輝度値)と測定時間を予備測定結果としてＲＡＭ２０３に記憶していく。
【００４３】
次に、ステップＳ５０１において、ＣＰＵ２０１は、測色機の処理時間（測色機の演算時間ともいう）の算出を行う。測色機の処理時間とは、測定時の露光時間以外の時間を示す。測色機の処理時間の算出には、Ｓ５００の予備測定で得た各点の測定値と測定時間を使用する。算出には計算処理を行う。まず、ＣＰＵ２０１は、Blackの輝度値が、輝度レンジ-露光時間テーブルのどこに該当するか検索し、該当する露光時間を参照する。次に、Blackの測定時間から前記参照した露光時間を減算する。その計算結果が、Blackを測定したときの測色機１０３の処理時間（測色機１０３の演算時間）となる。以後、５点分同様の処理を繰り返して、各点（５点）における測色機１０３の処理時間を算出し、該算出された５点における測色機１０３の処理時間の平均値を計算する。該計算によって導き出された平均値を測色機１０３の処理時間（測色機１０３の演算時間）として、ＲＡＭ２０３に記憶する。
【００４４】
次に、ステップＳ５０２において、ＣＰＵ２０１は、予想モニタ特性を算出し、測色チャート-予想輝度テーブルを作成する。ここで予想モニタ特性とは、モニタ１０２の入出力特性を示す。即ち、入力を色データ、出力(測定値)を輝度値としてグラフ上にプロットしたものであり、図７で表された曲線に対応する。つまり、入力される色データをモニタ１０２上ではどのような輝度で出力するかという相関関係を表したものである。
【００４５】
なお、予想モニタ特性は、ステップＳ５００で得た、Blackの測定値と、Grayの測定値と、Red、Green、Blueの測定値から計算して求まるWhite(255,255,255)の値の３点を用いて算出する。White(255,255,255)の値は、Redの測定値、Greenの測定値、Blueの測定値、を加算した値を取る。なお、Whiteの値が、Red、Green、Blueの測定値から計算して求まる理由は、モニタで表示するような発光体は加法混色であり、Red、Green、Blueを混色するとWhiteになるという特性からである。
【００４６】
なお、上記３点(Black、Gray、White)から予想モニタ特性を得るには、上記３点以外の間の値（測色チャートにより指定されている上記３点以外の値）を補完計算処理により補うことになる。補完計算処理としては単純な線形補完や、より高次なスプライン補完などが考えられるが、公知であるので説明を省略する。
【００４７】
図７は、本発明の予想モニタ特性の一例を示す図であり、スプライン補完を行った例に対応する。
【００４８】
図７において、▲で示される点がBlack、Gray、Whiteの測定値である。その間に位置する●の点が補完計算により得られた値である。このように、公知の補完計算を行い、各点を接続すると滑らかな曲線になるのが理想的である。
【００４９】
ＣＰＵ２０１は、上記Black、Gray、Whiteの測定値、及び、上述のように補完計算した各値を予想モニタ特性値としてＲＡＭ２０３に記憶する。
【００５０】
次に、ＣＰＵ２０１は、補完計算により得られた数値を使い、Red、Green、Blue、それぞれの階調値における輝度値を予想する。
【００５１】
具体的には、予想モニタ特性の各点とWhiteの値の比を使って、Red，Green，Blueの要素を算出する。つまり、Whiteの値を構成するR(255,0,0)、G(0,255,0)、B(0,0,255)の輝度値の比は全ての点で共通であると考えて算出を行っていく。
【００５２】
例えば、(16,16,16)の値が「2」、Whiteの値が「154」、そして、Whiteの値を構成するR(255,0,0)が「43」、G(0,255,0)が「95」、B(0,0,255)が「16」だった場合を考える。
【００５３】
そして、比を計算してRed,Green,Blueの要素を算出すると、(16,16,16)は、(255,255,255)の0.013倍なので、R(16,0,0)は43×0.013＝0.559、G(0,16,0)は95×0.013＝1.235、B(0,0,16)は16×0.013＝0.208となる。即ち、Rの階調値「16」の予想輝度は「0.559」、Gの階調値「16」の予想輝度は「1.235」、Bの階調値「16」の予想輝度は「0.208」となる。
【００５４】
図８は、上述のような計算により、R・G・Bそれぞれにおいて256階調分予想輝度を算出し記録する本発明のRGB-予想輝度テーブルの一例を示す図である。なお、本実施形態では、階調値は「0」〜「255」の値を持つ「256」階調とする。
【００５５】
図９は、本発明の測色チャート-予想輝度テーブルを作成するために必要な流れを示す図である。なお、図９では図３に示す測色チャートのある１点(RGB(51,255,51))を例にとって説明する。
【００５６】
まず、ＣＰＵ２０１は、RGB(51,255,51)のRGBの各要素を抜き出す。次にＣＰＵ２０１は、RGBの各要素を元に、ステップＳ５０２で得られたRGB-予想輝度テーブルを参照し、該当する予想輝度を割り出す。
【００５７】
最後にＣＰＵ２０１は、RGBの各予想輝度を全て加算し、RGB(51,255,51)の予想輝度とする（即ち、Rの各予想輝度＋Gの各予想輝度＋Bの各予想輝度）。そして、測色チャートのその他の点においても同様の処理を行う。このようにしてＣＰＵ２０１は、測色チャート-予想輝度テーブルをＲＡＭ２０３上に作成する。
【００５８】
次にステップＳ５０３において、ＣＰＵ２０１は、測色チャートの各点の予想測定時間を算出する。以下、図１０を用いて説明する。
【００５９】
図１０は、本発明において測色チャート-予想測定時間テーブルを作成するまでの流れを示す図である。なお、図１０では、ステップＳ５０２で作成した測色チャート-予想輝度テーブルのある１点(RGB(51,255,51))を例にとって説明している。
【００６０】
まず、ＣＰＵ２０１は、RGB(51,255,51)の予想輝度に対して、どのような露光時間が割り当てられるかを、輝度レンジ-露光時間テーブル(図４)を参照して割り出す。次に、該当する露光時間に測色機の処理時間(Ｓ５０１で算出)を加算し、RGB(51,255,51)の予想測定時間とする。なお、測色チャートのその他の点においても同様の処理を行う。このようにして、ＣＰＵ２０１は、測色チャート-予想測定時間テーブルを作成し、ＲＡＭ２０３に記憶する。
【００６１】
次にＣＰＵ２０１は、ステップＳ５０４において、総予想測定時間を算出する。ＣＰＵ２０１は、ステップＳ５０３にて得た測色チャート-予想測定時間テーブルを参照し、本テーブルの各点の予想測定時間を全て加算することで、総予想測定時間を得ることができる。このようにして、ＣＰＵ２０１は、総予想測定時間（測色チャートの基づく総測定時間の予測）を算出し、ＲＡＭ２０３に記憶する。
【００６２】
次に、ステップＳ５０５において、ＣＰＵ２０１は、ステップＳ５０４で算出された総予想測定時間をＵＩ(モニタ１０２)上に表示して、ユーザに知らせる。なお、この総予想測定時間を、予め外部メモリ２１１に記憶された通知先に通知するように構成してもよい。例えば、予め設定されたメールアドレスにメールするように構成してもよい。
【００６３】
以上、Ｓ５００〜Ｓ５０５までが、本測定を行う前に行う、総予想測定時間の算出処理である。Ｓ５０６以降では、本測定の処理を説明する。
【００６４】
ステップＳ５０６〜Ｓ５０７の処理は、測色チャート(図３)に示される測定点数分（測色チャートにて指定される全ての色情報分）繰り返し行う処理である。測定点数分、測定を繰り返して処理は終了となる。
【００６５】
ステップＳ５０７では、ＣＰＵ２０１は、測色チャートによる測定を行う。詳細には、ＣＰＵ２０１は、測色チャートの上部より一点づつ参照してき、測色チャートに示されるRGB値に該当する色をモニタ１０２に表示させる。次に、ＣＰＵ２０１は、測色機１０３を制御して測定を行い、該測定して得られた値をＲＡＭ２０３に記憶する。
【００６６】
そして、ＣＰＵ２０１は、Ｓ５０７の処理を、測色チャートに示される測定点数分繰り返し行った後、本フローチャートの処理を終了させる。
【００６７】
以上説明したように、本発明によれば、測色チャートにて指定される色を表示したモニタ１０２を、測色機１０３で測定し、値を得る処理を測定点数分繰り返すとともに、測定を行う前にシステムを使用するユーザに、測定終了までの予想時間を通知することができる。
【００６８】
〔第２実施形態〕
本実施形態では、総予想測定時間を算出した後、測色チャートによる測定を行う際、繰り返し行われる測定で得られる測定値（逐次測定される測定結果）を利用して、総予想測定時間を算出しなおし、予想時間の精度を上げるように構成する。
【００６９】
以下、図１１のフローチャートを参照して、本発明の第２実施形態におけるパーソナルコンピュータ１０１の処理を説明する。
【００７０】
図１１は、本発明の第２実施形態におけるパーソナルコンピュータ１０１の処理を説明するフローチャートである。なお、このフローチャートの処理は、図２示したパーソナルコンピュータ１０１のＣＰＵ２０１が、外部メモリ２１１に格納されるプログラムをＲＡＭ２０３上にロードして実行することにより実現される。また、図中、Ｓ１２００〜Ｓ１２１１は各ステップを示す。なお、Ｓ１２００〜Ｓ１２０７の処理は、上記第１実施形態で示した図５のＳ５００〜Ｓ５０７の処理と同一の処理のため説明を割愛する。
【００７１】
本実施形態では、ステップＳ１２０８〜Ｓ１２１１において、ステップＳ１２０４で算出した総予想測定時間を、ステップＳ１２０７における測色チャートの測定を繰り返すたびに算出しなおす処理を行う。以下、詳細に説明する。
【００７２】
ステップＳ１２０８では、ＣＰＵ２０１は、測色チャート-予想輝度の再作成を行う。まず、ＣＰＵ２０１は、ステップＳ１２０７で測定を行った測色チャートのある点の予想輝度値と、ステップＳ１２０７で得られた実測値（測定結果としての輝度値）の比を割り出す。次に図８に示したRGB-予想輝度テーブル（ＲＡＭ２０３に記憶される）の各点に割り出した比を乗算してRGB-予想輝度テーブルを修正（変更）する。
【００７３】
次に、ステップＳ１２０９において、ＣＰＵ２０１は、ステップＳ１２０８で修正（変更）したRGB-予想輝度テーブルに基づいて、測色チャート-予想時間テーブルを作成する。なお、詳細は、図５のステップＳ５０３と同様であるので省略する。
【００７４】
次に、ステップＳ１２１０において、ＣＰＵ２０１は、ステップＳ１２０９で作成した測色チャート-予想時間テーブルに基づいて、総予想測定時間を算出する。なお、詳細は、図５のステップＳ５０４と同様であるので省略する。
【００７５】
次に、ステップＳ１２１１において、ＣＰＵ２０１は、ステップＳ１２１０で算出した総予想測定時間を表示部に表示するように制御する。なお、詳細は、図５のステップＳ５０５と同様であるので省略する。なお、ここで総予想測定時間を表示する表示部は、モニタ１０２であってもよいが、測定に影響のない領域に表示するものとする。また、他の表示装置であってもよいし、メール等で他の装置に通知するように構成してもよい。
【００７６】
以上示した第２実施形態における総予想測定時間の再算出処理では、実際に測定した値を利用して、予想時間を補正していくことで、より精度の高い予想測定時間を算出することができる。
【００７７】
なお、本実施形態では、表示部に測色チャートに記載の全ての色についての予想測定時間を足した総予想測定時間を表示する構成について示した。しかし、ＣＰＵ２０１が、測色チャート内で指定される色情報のうち、測定済の色情報については予想測定時間を算出せず、未だ測定していない色情報に対してのみ予想測定時間を算出するように構成しても良い。即ち、この場合表示部に表示される時間は、測定する残りの色情報の総予想測定時間(残総予想測定時間)となる。
【００７８】
また、ＣＰＵ２０１が、測色チャート内の全ての色情報に対する総予想測定時間と残総予想測定時間とをそれぞれ算出し、該算出された総予想測定時間と残総予想測定時間とをそれぞれを表示部に表示させるように構成しても良い。
【００７９】
これにより、精度の高い残りの予想測定時間をユーザに視覚的に認識させることができる。
【００８０】
なお、上記各実施形態では、図５のＳ５０１，図１１のＳ１２０１で、測色機の処理時間を算出しているが、測色機の処理時間として、予め外部メモリ２１１に設定された値（固定値）を用いるように構成してもよい。
【００８１】
なお、上述した各種データの構成及びその内容はこれに限定されるものではなく、用途や目的に応じて、様々な構成や内容で構成されることは言うまでもない。
【００８２】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００８３】
以上示したように、測色チャートで指定される全ての色情報のセットを測定し終える(全ての色情報に基づく測定処理が終わる)までの総測定時間を精度良く予測することができる等の効果を奏する。
【００８４】
以下、図１２に示すメモリマップを参照して本発明に係る情報処理装置で読み取り可能なデータ処理プログラムの構成について説明する。
【００８５】
図１２は、本発明に係る情報処理装置で読み取り可能な各種データ処理プログラムを格納する記録媒体(記憶媒体)のメモリマップを説明する図である。
【００８６】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００８７】
さらに、各種プログラムに従属するデータも上記ディレクトリに管理されている。また、インストールするプログラムやデータが圧縮されている場合に、解凍するプログラム等も記憶される場合もある。
【００８８】
本実施形態における図５，図１１に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００８９】
以上のように、前述した実施形態の機能を実現するソフトウェアのプログラムコードを記録した記録媒体を、システムあるいは装置に供給し、そのシステムあるいは装置のコンピュータ(またはＣＰＵやＭＰＵ)が記録媒体に格納されたプログラムコードを読出し実行することによっても、本発明の目的が達成されることは言うまでもない。
【００９０】
この場合、記録媒体から読み出されたプログラムコード自体が本発明の新規な機能を実現することになり、そのプログラムコードを記憶した記録媒体は本発明を構成することになる。
【００９１】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００９２】
また、コンピュータが読み出したプログラムコードを実行することにより、前述した実施形態の機能が実現されるだけでなく、そのプログラムコードの指示に基づき、コンピュータ上で稼働しているＯＳ(オペレーティングシステム)等が実際の処理の一部または全部を行い、その処理によって前述した実施形態の機能が実現される場合も含まれることは言うまでもない。
【００９３】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【００９５】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【００９６】
なお、上述した各実施形態およびその変形例を組み合わせた構成も全て本発明に含まれるものである。
【図面の簡単な説明】
【００９７】
【図１】本発明の一実施形態を適用可能な測定システムの構成の一例を示すシステム構成図である。
【図２】図１に示した測定システム１００の構成の詳細を示すブロック図である。
【図３】本実施形態における測色チャートである。
【図４】本実施形態における輝度レンジ-露光時間テーブルの一例を示す図である。
【図５】本発明の第１実施形態におけるパーソナルコンピュータ１０１の処理を説明するフローチャートである。
【図６】本実施形態で用いる予備測定用測色チャートである。
【図７】図７は、本発明の予想モニタ特性の一例を示す図である。
【図８】本発明のRGB-予想輝度テーブルの一例を示す図である。
【図９】本発明の測色チャート-予想輝度テーブルを作成するために必要な流れを示す図である。
【図１０】本発明において測色チャート-予想測定時間テーブルを作成するまでの流れを示す図である。
【図１１】本発明の第２実施形態におけるパーソナルコンピュータ１０１の処理を説明するフローチャートである。
【図１２】本発明に係る情報処理装置で読み取り可能な各種データ処理プログラムを格納する記録媒体(記憶媒体)のメモリマップを説明する図である。
【符号の説明】
【００９８】
１００  測定システム
１０１  パーソナルコンピュータ
１０２  モニタ
１０３  測色機
２０１  ＣＰＵ
２０２  ＲＯＭ
２０３  ＲＡＭ
２０５  周辺機器インターフェース
２１１  外部メモリ
【図１】
2008216203.tif 000003
【図２】
2008216203.tif 000004
【図３】
2008216203.tif 000005
【図４】
2008216203.tif 000006
【図５】
2008216203.tif 000007
【図６】
2008216203.tif 000008
【図７】
2008216203.tif 000009
【図８】
2008216203.tif 000010
【図９】
2008216203.tif 000011
【図１０】
2008216203.tif 000012
【図１１】
2008216203.tif 000013
【図１２】
2008216203.tif 000014